【手続補正書】
【提出日】平成17年1月25日(2005.1.25)
【手続補正１】
【補正対象書類名】明細書
【補正対象項目名】請求項２
【補正方法】変更
【補正の内容】
【請求項２】
基地局と二つ以上の無線端末から構成された無線通信システムに適用され、前記基地局は自基地局と前記無線端末との間または二つの前記無線端末の間にコネクションを設定し、このコネクション毎に時分割した送受信タイムスロットを割当て、この割当てに関するタイムスロット割当情報と前記送受信タイムスロットとで構成された無線フレームを送信し、前記無線端末は受信した前記無線フレーム内の前記タイムスロット割当情報に従って前記送受信タイムスロットを用いてデータの送受信を行う無線通信方法において、
前記基地局は、
第二の無線端末とデータの送受信を行うための第二のタイムスロットを割当てるステップと、
前記第一の無線端末と前記第二の無線端末との間で直接的にデータの送受信を行うための第三のタイムスロットを割当てるステップと、
タイムスロット割当情報を通知するタイムスロットを割当て当該タイムスロット割当情報を無線端末に通知するステップと、
前記第一の無線端末との間に複数のコネクションを設定するステップと、
前記第一の無線端末との間に設定した前記複数のコネクションのうちの一つを前記基地局と前記第一の無線端末との間のデータを前記第一の無線端末との間で送受信するためのコネクションとし第一のタイムスロットを割当てるステップと、
前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当てるステップと、
前記第二のタイムスロットを用いて前記基地局と前記第二の無線端末との間のデータを前記第二の無線端末との間で送受信するステップと
を実行し、
前記第一の無線端末は、
前記基地局と前記第一の無線端末との間のデータを前記第一のタイムスロットを用いて前記基地局との間で送受信するステップと、
前記基地局と前記第一の無線端末との間のデータと前記基地局と前記第二の無線端末との間のデータを識別し、前記基地局と前記第二の無線端末との間のデータを前記第一のタイムスロットとは別に前記基地局が設定したタイムスロットを用いて前記基地局との間で送受信するステップと、
前記第三のタイムスロットを用いて前記基地局と前記第二の無線端末との間のデータを前記第二の無線端末との間で送受信するステップと
を実行し、
前記第二の無線端末は、
前記第二のタイムスロットを用いて前記基地局と前記第二の無線端末との間のデータを前記基地局との間で送受信するステップと、
前記第三のタイムスロットを用いて前記基地局と前記第二の無線端末との間のデータを前記第一の無線端末との間で送受信するステップと
を実行することを特徴とする無線通信方法。
【手続補正２】
【補正対象書類名】明細書
【補正対象項目名】請求項１４
【補正方法】変更
【補正の内容】
【請求項１４】
基地局と二つ以上の無線端末から構成され、前記基地局は自基地局と前記無線端末との間または二つの前記無線端末の間にコネクションを設定し、このコネクション毎に時分割した送受信タイムスロットを割当て、この割当てに関するタイムスロット割当情報と前記送受信タイムスロットとで構成された無線フレームを送信し、前記無線端末は受信した前記無線フレーム内の前記タイムスロット割当情報に従って前記送受信タイムスロットを用いてデータの送受信を行う無線通信システムにおいて、
前記基地局は、
第二の無線端末とデータの送受信を行うための第二のタイムスロットを割当て、前記第一の無線端末と前記第二の無線端末との間で直接的にデータの送受信を行うための第三のタイムスロットを割当てる手段と、
タイムスロット割当情報を通知するタイムスロットを割当て当該タイムスロット割当情報を無線端末に通知する手段と、
前記第一の無線端末との間に複数のコネクションを設定し、前記第一の無線端末との間に設定した前記複数のコネクションのうちの一つを前記基地局と前記第一の無線端末との間のデータを前記第一の無線端末との間で送受信するためのコネクションとし第一のタイムスロットを割当て、前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当てる手段と、
前記第二のタイムスロットを用いて前記基地局と前記第二の無線端末との間のデータを前記第二の無線端末との間で送受信する手段と
を備え、
前記第一の無線端末は、
前記基地局と前記第一の無線端末との間のデータと前記基地局と前記第二の無線端末との間のデータを識別する手段と、
前記基地局と前記第一の無線端末との間のデータを前記第一のタイムスロットを用いて前記基地局との間で送受信し、前記識別する手段によりデータを識別し、前記基地局と前記第二の無線端末との間のデータを前記第一のタイムスロットとは別に前記基地局が設定したタイムスロットを用いて前記基地局との間で送受信し、前記第三のタイムスロットを用いて前記基地局と前記第二の無線端末との間のデータを前記第二の無線端末との間で送受信する手段と
を備え、
前記第二の無線端末は、
前記第二のタイムスロットを用いて前記基地局と前記第二の無線端末との間のデータを前記基地局との間で送受信し、前記第三のタイムスロットを用いて前記基地局と前記第二の無線端末との間のデータを前記第一の無線端末との間で送受信する手段と
を備えたことを特徴とする無線通信システム。
【手続補正３】
【補正対象書類名】明細書
【補正対象項目名】請求項１８
【補正方法】変更
【補正の内容】
【請求項１８】
前記選択する手段は、
前記伝送速度Ｒ１２、Ｒ１３、Ｒ２３で表される条件式
Ｒ１２＜１／（（１／Ｒ１３）＋（１／Ｒ２３））
を満たす前記第一の無線端末となり得る無線端末が複数存在した場合には、
（１／Ｒ１３）＋（１／Ｒ２３）
を最小にする無線端末を前記第一の無線端末として選択し、前記第二の無線端末との直接通信ではなく、前記第一の無線端末を経由した間接通信を選択する手段を備えた
請求項１５記載の無線通信システム。
【手続補正４】
【補正対象書類名】明細書
【補正対象項目名】請求項１９
【補正方法】変更
【補正の内容】
【請求項１９】
前記報告する手段は、
前記伝送速度Ｒ１２、Ｒ１３、Ｒ２３で表される条件式
Ｒ１２＜１／（（１／Ｒ１３）＋（１／Ｒ２３））
を満たす前記第一の無線端末となり得る無線端末が複数存在した場合に、
（１／Ｒ１３）＋（１／Ｒ２３）
を最小にする無線端末を前記第一の無線端末として選択し、前記基地局に報告すると共に、前記基地局との直接通信ではなく、前記第一の無線端末を経由した間接通信を選択する手段を備えた
請求項１６記載の無線通信システム。
【手続補正５】
【補正対象書類名】明細書
【補正対象項目名】請求項２６
【補正方法】変更
【補正の内容】
【請求項２６】
基地局と二つ以上の無線端末から構成され、前記基地局は自基地局と前記無線端末との間または二つの前記無線端末の間にコネクションを設定し、このコネクション毎に時分割した送受信タイムスロットを割当て、この割当てに関するタイムスロット割当情報と前記送受信タイムスロットとで構成された無線フレームを送信し、前記無線端末は受信した前記無線フレーム内の前記タイムスロット割当情報に従って前記送受信タイムスロットを用いてデータの送受信を行う無線通信システムに適用される基地局において、
第二の無線端末とデータの送受信を行うための第二のタイムスロットを割当て、前記第一の無線端末と前記第二の無線端末との間で直接的にデータの送受信を行うための第三のタイムスロットを割当てる手段と、
タイムスロット割当情報を通知するタイムスロットを割当て当該タイムスロット割当情報を無線端末に通知する手段と、
前記第一の無線端末との間に複数のコネクションを設定し、前記第一の無線端末との間に設定した前記複数のコネクションのうちの一つを前記基地局と前記第一の無線端末との間のデータを前記第一の無線端末との間で送受信するためのコネクションとし第一のタイムスロットを割当て、前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当てる手段と、
前記第二のタイムスロットを用いて前記基地局と前記第二の無線端末との間のデータを前記第二の無線端末との間で送受信する手段と
を備えたことを特徴とする基地局。
【手続補正６】
【補正対象書類名】明細書
【補正対象項目名】請求項３６
【補正方法】変更
【補正の内容】
【請求項３６】
基地局と二つ以上の無線端末から構成され、前記基地局は自基地局と前記無線端末との間または二つの前記無線端末の間にコネクションを設定し、このコネクション毎に時分割した送受信タイムスロットを割当て、この割当てに関するタイムスロット割当情報と前記送受信タイムスロットとで構成された無線フレームを送信し、前記無線端末は受信した前記無線フレーム内の前記タイムスロット割当情報に従って前記送受信タイムスロットを用いてデータの送受信を行う無線通信システムに適用される前記無線端末において、
前記基地局は、第二の無線端末とデータの送受信を行うための第二のタイムスロットを割当て、前記第一の無線端末と前記第二の無線端末との間で直接的にデータの送受信を行うための第三のタイムスロットを割当て、タイムスロット割当情報を通知するタイムスロットを割当て当該タイムスロット割当情報を無線端末に通知し、前記第一の無線端末との間に複数のコネクションを設定し、前記第一の無線端末との間に設定した前記複数のコネクションのうちの一つを前記基地局と前記第一の無線端末との間のデータを前記第一の無線端末との間で送受信するためのコネクションとし第一のタイムスロットを割当て、前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当て、前記第二のタイムスロットを用いて前記基地局と前記第二の無線端末との間のデータを前記第二の無線端末との間で送受信し、
自己が前記第一の無線端末であるときには、
前記基地局と前記第一の無線端末との間のデータと前記基地局と前記第二の無線端末との間のデータを識別する手段と、
前記基地局と前記第一の無線端末との間のデータを前記第一のタイムスロットを用いて前記基地局との間で送受信し、前記識別する手段によりデータを識別し、前記基地局と前記第二の無線端末との間のデータを前記第一のタイムスロットとは別に前記基地局が設定したタイムスロットを用いて前記基地局との間で送受信し、前記第三のタイムスロットを用いて前記基地局と前記第二の無線端末との間のデータを前記第二の無線端末との間で送受信する手段と
を備え、
自己が前記第二の無線端末であるときには、
前記第二のタイムスロットを用いて前記基地局と前記第二の無線端末との間のデータを前記基地局との間で送受信し、前記第三のタイムスロットを用いて前記基地局と前記第二の無線端末との間のデータを前記第一の無線端末との間で送受信する手段と
を備えたことを特徴とする無線端末。
【手続補正７】
【補正対象書類名】明細書
【補正対象項目名】００１８
【補正方法】変更
【補正の内容】
【００１８】
あるいは、本発明の無線通信方法の特徴とするところは、前記基地局は、第二の無線端末とデータの送受信を行うための第二のタイムスロットを割当てるステップと、前記第一の無線端末と前記第二の無線端末との間で直接的にデータの送受信を行うための第三のタイムスロットを割当てるステップと、タイムスロット割当情報を通知するタイムスロットを割当て当該タイムスロット割当情報を無線端末に通知するステップと、前記第一の無線端末との間に複数のコネクションを設定するステップと、前記第一の無線端末との間に設定した前記複数のコネクションのうちの一つを前記基地局と前記第一の無線端末との間のデータを前記第一の無線端末との間で送受信するためのコネクションとし前記第一のタイムスロットを割当てるステップと、前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当てるステップと、前記第二のタイムスロットを用いて前記基地局と前記第二の無線端末との間のデータを前記第二の無線端末との間で送受信するステップとを実行し、前記第一の無線端末は、前記基地局と前記第一の無線端末との間のデータを第一のタイムスロットを用いて前記基地局との間で送受信するステップと、前記基地局と前記第一の無線端末との間のデータと前記基地局と前記第二の無線端末との間のデータを識別し、前記基地局と前記第二の無線端末との間のデータを前記第一のタイムスロットとは別に前記基地局が設定したタイムスロットを用いて前記基地局との間で送受信するステップと、前記第三のタイムスロットを用いて前記基地局と前記第二の無線端末との間のデータを前記第二の無線端末との間で送受信するステップとを実行し、前記第二の無線端末は、前記第二のタイムスロットを用いて前記基地局と前記第二の無線端末との間のデータを前記基地局との間で送受信するステップと、前記第三のタイムスロットを用いて前記基地局と前記第二の無線端末との間のデータを前記第一の無線端末との間で送受信するステップとを実行するところにある。
【手続補正８】
【補正対象書類名】明細書
【補正対象項目名】００６１
【補正方法】変更
【補正の内容】
【００６１】
あるいは、本発明の無線端末の特徴とするところは、前記基地局は、第二の無線端末とデータの送受信を行うための第二のタイムスロットを割当て、前記第一の無線端末と前記第二の無線端末との間で直接的にデータの送受信を行うための第三のタイムスロットを割当て、タイムスロット割当情報を通知するタイムスロットを割当て当該タイムスロット割当情報を無線端末に通知し、前記第一の無線端末との間に複数のコネクションを設定し、前記第一の無線端末との間に設定した前記複数のコネクションのうちの一つを前記基地局と前記第一の無線端末との間のデータを前記第一の無線端末との間で送受信するためのコネクションとし第一のタイムスロットを割当て、前記第一の無線端末との間に設定した前記複数のコネクションのうちの一つを前記基地局と前記第二の無線端末との間のデータを前記第一の無線端末との間で送受信するためのコネクションとし前記第一のタイムスロットとは別のタイムスロットを割当て、前記第二のタイムスロットを用いて前記基地局と前記第二の無線端末との間のデータを前記第二の無線端末との間で送受信し、自己が前記第一の無線端末であるときには、前記基地局と前記第一の無線端末との間のデータと前記基地局と前記第二の無線端末との間のデータを識別する手段と、前記基地局と前記第一の無線端末との間のデータを前記第一のタイムスロットを用いて前記基地局との間で送受信し、前記識別する手段によりデータを識別し、前記基地局と前記第二の無線端末との間のデータを前記第一のタイムスロットとは別に前記基地局が設定したタイムスロットを用いて前記基地局との間で送受信し、前記第三のタイムスロットを用いて前記基地局と前記第二の無線端末との間のデータを前記第二の無線端末との間で送受信する手段とを備え、自己が前記第二の無線端末であるときには、前記第二のタイムスロットを用いて前記基地局と前記第二の無線端末との間のデータを前記基地局との間で送受信し、前記第三のタイムスロットを用いて前記基地局と前記第二の無線端末との間のデータを前記第一の無線端末との間で送受信する手段とを備えたところにある。